(57)【要約】      （修正有）【課題】フィルターの更新が容易な空気浄化装置を提供する。【解決手段】空気浄化装置は、箱１００を含み、前記箱の中に回転筐体１１２が固定設置され、前記回転筐体の中に電機駆動のファン１１１が設置され、前記回転筐体の左端壁の中に移行筐体１１０が連結設置される。フィルター１０５を更新する時、回転電機１０１が起動され、支えブロック１０６を動かして回し、不純物が満たされるフィルター１０５を下側に回し、ロック筐体１０３の中にあるボルトを緩め、下側にある前記フィルター１０５を取り出して更新する。【選択図】図１
2019194513.tif 000002
【特許請求の範囲】
【請求項１】
集塵組立部品、空気浄化装置及びエアコンは箱を含み、前記箱の中に回転筐体が固定設置され、前記回転筐体の中に電機駆動のファンが回り設置され、前記回転筐体の左端壁の中に移行筐体が連結設置され、前記移行筐体の中に吸気ブロックが引っかかり設置され、前記吸気ブロックの中に左右貫く錐筐体が固定設置され、前記錐筐体が前記移行筐体に連結され、前記移行筐体の下端内壁に開き筐体が連結設置され、前記開き筐体の右端内壁に回転電機が固定設置され、前記回転電機の輸出軸が前記開き筐体の左端壁に回り係合接続され、前記回転電機の輸出軸の中に支えブロックが固定設置され、前記支えブロックの中に濾過筐体が上下対称で且つ左右貫いて固定設置され、前記濾過筐体の中にフィルターが引っかかり設置され、前記回転電機から離れる前記フィルターの端面にねじ穴が固定設置され、前記回転電機から離れる前記支えブロックの端面に上下対称で且つ開いたロック筐体が固定設置され、前記回転筐体の右端内壁に通風筐体が連結設置され、前記通風筐体の中に前記箱の中にある動力筐体が連結設置され、前記動力筐体の右端内壁に動力電機が回り設置され、前記動力電機の輸出軸が前記動力筐体の左端壁に回り係合接続され、前記動力電機の輸出軸のうわべに下ねじ山軸が固定設置され、前記動力筐体の左右端壁の間に回転軸が回り設置され、前記回転軸のうわべに前記下ねじ山軸に噛み合う上ねじ山軸が固定設置され、前記通風筐体の下端内壁に貫き筐体が連結設置され、前記貫き筐体の下端壁に伝動筐体が連結設置され、前記伝動筐体の上端内壁に通り筐体が左右対称で連結設置され、前記通り筐体の上端内壁に滑り筐体が連結設置され、前記伝動筐体の下に前記箱にあるベース筐体が設置され、前記ベース筐体の下端壁に加熱パイプが設置され、前記貫き筐体の中にトップパイプが滑り設置され、前記トップパイプの中に左右貫く連結筐体が固定設置され、前記頂の下端面に連結筐体が固定設置され、前記連結筐体の中に上下貫くパイプ筐体が固定設置され、前記パイプ筐体の左右端面にフィラーブロックが左右対称で固定設置され、前記連結パイプから離れる前記滑り筐体の内壁に滑り電機が固定設置され、前記滑り電機の輸出軸が前記滑り筐体の内壁に回り係合接続され、前記滑り電機の輸出軸のうわべに前記通り筐体に滑り係合接続される伸びブロックがねじで係合接続され、前記伸びブロックの中に回転接続ハンドルが回り設置され、前記回転接続ハンドルが前記フィラーブロックに回り係合接続され、前記箱の上端面に検査装置が設置され、前記箱の上端面にトップブロックとトップ回転ブロックが固定設置され、前記トップブロックの中にスイング棒が回り設置され、前記スイング棒の上端面に受圧ブロックが固定設置され、前記受圧ブロックの上端面に接続ブロックが固定設置され、前記接続ブロックの上端面にシュートブロックが固定設置され、前記シュートブロックの上端面に中間ブロックが固定設置され、前記中間ブロックの上端面に伸び板が固定設置され、前記伸び板の下にガイドレールが設置され、前記ガイドレールの中に開いたレール筐体が固定設置され、前記シュートブロックが前記レール筐体に滑り係合接続され、前記受圧ブロックの先端面に回転接続支柱が回り設置され、前記回転接続支柱の先端面に回転接続ブロックが固定設置され、前記箱の上端面に支え回転ブロックが固定設置され、前記支え回転ブロックの中に回転ハンドルが回り設置され、前記支え回転ブロックから離れる前記回転ハンドルの端面に電機受圧ブロックが固定設置され、前記支え回転ブロックから離れる前記電機受圧ブロックの端面に駆動電機が固定設置され、前記駆動電機の輸出軸が前記回転接続ブロックにねじで係合接続され、前記ベース筐体の左端内壁に動力ポンプが連結設置され、前記動力ポンプの左端内壁に貯水筐体が連結設置され、前記貯水筐体の左端内壁にバルブが連結設置され、前記箱の下にチューブヘッドが設置され、前記チューブヘッドが前記バルブに連結され、前記錐筐体がラッパ状で開いて、外部の空気を前記移行筐体に導入し、前記下ねじ山軸と上ねじ山軸が特製ねじ山であり、ねじ山が螺旋式で噛み合う。
【発明の詳細な説明】
【技術分野】
【０００１】
本発明は空気浄化分野に関し、具体的には、集塵組立部品、空気浄化装置及びエアコンに関する。
【背景技術】
【０００２】
空気浄化は発展が速い技術であり、現有の空気浄化装置の浄化効果が足りない且つフィルターが更新し難くて、機能集成性も優れていないため、この設備で問題を解決した。
【先行技術文献】
【特許文献】
【０００３】
【特許文献１】中国特許出願公開第103863065号明細書
【発明の概要】
【発明が解決しようとする課題】
【０００４】
本発明の目的は上記の背景技術に提出された問題を解決するための集塵組立部品、空気浄化装置及びエアコンを提供することにある。
【課題を解決するための手段】
【０００５】
上記の目的を実現するために、本発明には、集塵組立部品、空気浄化装置及びエアコンは  箱を含み、前記箱の中に回転筐体が固定設置され、前記回転筐体の中に電機駆動のファンが回り設置され、前記回転筐体の左端壁の中に移行筐体が連結設置され、前記移行筐体の中に吸気ブロックが引っかかり設置され、前記吸気ブロックの中に左右貫く錐筐体が固定設置され、前記錐筐体が前記移行筐体に連結され、前記移行筐体の下端内壁に開き筐体が連結設置され、前記開き筐体の右端内壁に回転電機が固定設置され、前記回転電機の輸出軸が前記開き筐体の左端壁に回り係合接続され、前記回転電機の輸出軸の中に支えブロックが固定設置され、前記支えブロックの中に濾過筐体が上下対称で且つ左右貫いて固定設置され、前記濾過筐体の中にフィルターが引っかかり設置され、前記回転電機から離れる前記フィルターの端面にねじ穴が固定設置され、前記回転電機から離れる前記支えブロックの端面に上下対称で且つ開いたロック筐体が固定設置され、前記回転筐体の右端内壁に通風筐体が連結設置され、前記通風筐体の中に前記箱の中にある動力筐体が連結設置され、前記動力筐体の右端内壁に動力電機が回り設置され、前記動力電機の輸出軸が前記動力筐体の左端壁に回り係合接続され、前記動力電機の輸出軸のうわべに下ねじ山軸が固定設置され、前記動力筐体の左右端壁の間に回転軸が回り設置され、前記回転軸のうわべに前記下ねじ山軸に噛み合う上ねじ山軸が固定設置され、前記通風筐体の下端内壁に貫き筐体が連結設置され、前記貫き筐体の下端壁に伝動筐体が連結設置され、前記伝動筐体の上端内壁に通り筐体が左右対称で連結設置され、前記通り筐体の上端内壁に滑り筐体が連結設置され、前記伝動筐体の下に前記箱にあるベース筐体が設置され、前記ベース筐体の下端壁に加熱パイプが設置され、前記貫き筐体の中にトップパイプが滑り設置され、前記トップパイプの中に左右貫く連結筐体が固定設置され、前記頂の下端面に連結筐体が固定設置され、前記連結筐体の中に上下貫くパイプ筐体が固定設置され、前記パイプ筐体の左右端面にフィラーブロックが左右対称で固定設置され、前記連結パイプから離れる前記滑り筐体の内壁に滑り電機が固定設置され、前記滑り電機の輸出軸が前記滑り筐体の内壁に回り係合接続され、前記滑り電機の輸出軸のうわべに前記通り筐体に滑り係合接続される伸びブロックがねじで係合接続され、前記伸びブロックの中に回転接続ハンドルが回り設置され、前記回転接続ハンドルが前記フィラーブロックに回り係合接続され、前記箱の上端面に検査装置が設置される。
【０００６】
更の技術プラン、前記箱の上端面にトップブロックとトップ回転ブロックが固定設置され、前記トップブロックの中にスイング棒が回り設置され、前記スイング棒の上端面に受圧ブロックが固定設置され、前記受圧ブロックの上端面に接続ブロックが固定設置され、前記接続ブロックの上端面にシュートブロックが固定設置され、前記シュートブロックの上端面に中間ブロックが固定設置され、前記中間ブロックの上端面に伸び板が固定設置され、前記伸び板の下にガイドレールが設置され、前記ガイドレールの中に開いたレール筐体が固定設置され、前記シュートブロックが前記レール筐体に滑り係合接続され、前記受圧ブロックの先端面に回転接続支柱が回り設置され、前記回転接続支柱の先端面に回転接続ブロックが固定設置され、前記箱の上端面に支え回転ブロックが固定設置され、前記支え回転ブロックの中に回転ハンドルが回り設置され、前記支え回転ブロックから離れる前記回転ハンドルの端面に電機受圧ブロックが固定設置され、前記支え回転ブロックから離れる前記電機受圧ブロックの端面に駆動電機が固定設置され、前記駆動電機の輸出軸が前記回転接続ブロックにねじで係合接続される。
【０００７】
更の技術プラン、前記ベース筐体の左端内壁に動力ポンプが連結設置され、前記動力ポンプの左端内壁に貯水筐体が連結設置され、前記貯水筐体の左端内壁にバルブが連結設置され、前記箱の下にチューブヘッドが設置され、前記チューブヘッドが前記バルブに連結される。
【０００８】
更の技術プラン、前記錐筐体がラッパ状で開いて、外部の空気を前記移行筐体に導入する。
【０００９】
更の技術プラン、前記下ねじ山軸と上ねじ山軸が特製ねじ山であり、ねじ山が螺旋式で噛み合う。
【発明の効果】
【００１０】
本発明の有益効果は、本発明設備が初期状態の時、前記回転筐体の後ろ内壁に電機、加熱パイプ、駆動電機、回転電機、動力電機、動力ポンプと滑り電機が停止されたまま、前記伸びブロックが前記トップパイプの極限位置に近づき、それによって、前記構造が初期状態の時元の位置にあり、後続の作業で調整を行い、設備の作業協調性を有効に高める。
【００１１】
設備が運行する時、前記回転筐体の後ろ内壁にある電機が起動され、前記ファンを回せてから、外部の空気が前記錐筐体と移行筐体を通過して前記回転筐体の中に入らせ、空気が前記フィルターを通過する時、空気にある不純物が濾過され、前記動力電機が起動され、前記下ねじ山軸と上ねじ山軸を回せてから、空気が前記回転筐体で右に圧縮して前記通風筐体の中に送り込み、前記貯水筐体の中に液体が満たされ、前記動力ポンプが起動されてから、液体を前記ベース筐体に満たされ、前記加熱パイプが起動され熱が生産されて、液体を水蒸気に加熱して前記パイプ筐体と連結筐体に満たされ、前記滑り電機が起動され、前記伸びブロックを動かして前記連結パイプから離れさせ前記連結パイプを上に上げ、前記連結筐体と通風筐体を連結させ、水蒸気が前記通風筐体の中に放出され、圧縮空気が通風筐体に放出され、水蒸気を前記通風筐体から排出され、外部に放出される。
【００１２】
設備に調整を行う時、前記シュートブロックが前記レール筐体に放置され、ねじで前記伸び板を前記ガイドレールに固定され、前記駆動電機が起動されてから前記駆動電機の輸出軸を回せて前記箱をある程度の角度に上げる。
【００１３】
フィルターを更新する時、前記回転電機が起動され、前記支えブロックを動かして回せ、不純物が満たされる前記フィルターを下側に回せ、前記ロック筐体の中にあるボルトを緩め、下側にあるフィルターを取り出して前記フィルターを更新する。
【００１４】
本発明の構造が簡単で、使用も便利であり、この設備で空気浄化と環境加湿が相まって、空気浄化の機能を有効に高めた。
【図面の簡単な説明】
【００１５】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１６】
【図１】本発明の集塵組立部品、空気浄化装置及びエアコンの整体構造模式図である。
【図２】図1のA-A方向の構造模式図である。
【発明を実施するための形態】
【００１７】
本発明書に開示した全ての特徴、或いは開示した全ての方法、過程中のステップは、互いに排斥する特徴或いはステップ以外に、いかなる方式で組み合わせることができる。  
【００１８】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１９】
本発明の集塵組立部品、空気浄化装置及びエアコンは  箱100を含み、前記箱100の中に回転筐体112が固定設置され、前記回転筐体112の中に電機駆動のファン111が回り設置され、前記回転筐体112の左端壁の中に移行筐体110が連結設置され、前記移行筐体110の中に吸気ブロック109が引っかかり設置され、前記吸気ブロック109の中に左右貫く錐筐体108が固定設置され、前記錐筐体108が前記移行筐体110に連結され、前記移行筐体110の下端内壁に開き筐体107が連結設置され、前記開き筐体107の右端内壁に回転電機101が固定設置され、前記回転電機101の輸出軸が前記開き筐体107の左端壁に回り係合接続され、前記回転電機101の輸出軸の中に支えブロック106が固定設置され、前記支えブロック106の中に濾過筐体102が上下対称で且つ左右貫いて固定設置され、前記濾過筐体102の中にフィルター105が引っかかり設置され、前記回転電機101から離れる前記フィルター105の端面にねじ穴104が固定設置され、前記回転電機101から離れる前記支えブロック106の端面に上下対称で且つ開いたロック筐体103が固定設置され、前記回転筐体112の右端内壁に通風筐体135が連結設置され、前記通風筐体135の中に前記箱100の中にある動力筐体127が連結設置され、前記動力筐体127の右端内壁に動力電機131が回り設置され、前記動力電機131の輸出軸が前記動力筐体127の左端壁に回り係合接続され、前記動力電機131の輸出軸のうわべに下ねじ山軸130が固定設置され、前記動力筐体127の左右端壁の間に回転軸128が回り設置され、前記回転軸128のうわべに前記下ねじ山軸130に噛み合う上ねじ山軸129が固定設置され、前記通風筐体135の下端内壁に貫き筐体132が連結設置され、前記貫き筐体132の下端壁に伝動筐体150が連結設置され、前記伝動筐体150の上端内壁に通り筐体138が左右対称で連結設置され、前記通り筐体138の上端内壁に滑り筐体136が連結設置され、前記伝動筐体150の下に前記箱100にあるベース筐体142が設置され、前記ベース筐体142の下端壁に加熱パイプ143が設置され、前記貫き筐体132の中にトップパイプ134が滑り設置され、前記トップパイプ134の中に左右貫く連結筐体133が固定設置され、前記頂134の下端面に連結筐体145が固定設置され、前記連結筐体133の中に上下貫くパイプ筐体144が固定設置され、前記パイプ筐体144の左右端面にフィラーブロック141が左右対称で固定設置され、前記連結パイプ145から離れる前記滑り筐体136の内壁に滑り電機137が固定設置され、前記滑り電機137の輸出軸が前記滑り筐体136の内壁に回り係合接続され、前記滑り電機137の輸出軸のうわべに前記通り筐体138に滑り係合接続される伸びブロック139がねじで係合接続され、前記伸びブロック139の中に回転接続ハンドル140が回り設置され、前記回転接続ハンドル140が前記フィラーブロック141に回り係合接続され、前記箱100の上端面に検査装置が設置される。
【００２０】
有益的には、前記箱100の上端面にトップブロック124とトップ回転ブロック125が固定設置され、前記トップブロック124の中にスイング棒113が回り設置され、前記スイング棒113の上端面に受圧ブロック114が固定設置され、前記受圧ブロック114の上端面に接続ブロック115が固定設置され、前記接続ブロック115の上端面にシュートブロック120が固定設置され、前記シュートブロック120の上端面に中間ブロック118が固定設置され、前記中間ブロック118の上端面に伸び板117が固定設置され、前記伸び板117の下にガイドレール116が設置され、前記ガイドレール116の中に開いたレール筐体119が固定設置され、前記シュートブロック120が前記レール筐体119に滑り係合接続され、前記受圧ブロック114の先端面に回転接続支柱200が回り設置され、前記回転接続支柱200の先端面に回転接続ブロック121が固定設置され、前記箱100の上端面に支え回転ブロック125が固定設置され、前記支え回転ブロック125の中に回転ハンドル126が回り設置され、前記支え回転ブロック125から離れる前記回転ハンドル126の端面に電機受圧ブロック123が固定設置され、前記支え回転ブロック125から離れる前記電機受圧ブロック123の端面に駆動電機122が固定設置され、前記駆動電機122の輸出軸が前記回転接続ブロック121にねじで係合接続される。
【００２１】
有益的には、前記ベース筐体142の左端内壁に動力ポンプ146が連結設置され、前記動力ポンプ146の左端内壁に貯水筐体147が連結設置され、前記貯水筐体147の左端内壁にバルブ148が連結設置され、前記箱100の下にチューブヘッド149が設置され、前記チューブヘッド149が前記バルブ148に連結される。
【００２２】
有益的には、前記錐筐体108がラッパ状で開いて、外部の空気を前記移行筐体110に導入する。
【００２３】
有益的には、前記下ねじ山軸130と上ねじ山軸129が特製ねじ山であり、ねじ山が螺旋式で噛み合う。
【００２４】
本発明設備が初期状態の時、前記回転筐体112の後ろ内壁に電機、加熱パイプ143、駆動電機122、回転電機101、動力電機131、動力ポンプ146と滑り電機137が停止されたまま、前記伸びブロック139が前記トップパイプ134の極限位置に近づく。
【００２５】
設備が運行する時、前記回転筐体112の後ろ内壁にある電機が起動され、前記ファン111を回せてから、外部の空気が前記錐筐体108と移行筐体110を通過して前記回転筐体112の中に入らせ、空気が前記フィルター105を通過する時、空気にある不純物が濾過され、前記動力電機131が起動され、前記下ねじ山軸130と上ねじ山軸129を回せてから、空気が前記回転筐体112で右に圧縮して前記通風筐体135の中に送り込み、前記貯水筐体147の中に液体が満たされ、前記動力ポンプ146が起動されてから、液体を前記ベース筐体142に満たされ、前記加熱パイプ143が起動され熱が生産されて、液体を水蒸気に加熱して前記パイプ筐体144と連結筐体133に満たされ、前記滑り電機137が起動され、前記伸びブロック139を動かして前記連結パイプ145から離れさせ前記連結パイプ145を上に上げ、前記連結筐体133と通風筐体135を連結させ、水蒸気が前記通風筐体135の中に放出され、圧縮空気が通風筐体135に放出され、水蒸気を前記通風筐体135から排出され、外部に放出される。
【００２６】
設備に調整を行う時、前記シュートブロック120が前記レール筐体119に放置され、ねじで前記伸び板117を前記ガイドレールに固定され、前記駆動電機122が起動されてから前記駆動電機122の輸出軸を回せて前記箱100をある程度の角度に上げる。
【００２７】
フィルター105を更新する時、前記回転電機101が起動され、前記支えブロック106を動かして回せ、不純物が満たされる前記フィルター105を下側に回せ、前記ロック筐体103の中にあるボルトを緩め、下側にあるフィルター105を取り出して前記フィルター105を更新する。
【００２８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2019194513.tif 000003
【図２】
2019194513.tif 000004
【手続補正書】
【提出日】平成31年2月19日(2019.2.19)
【手続補正１】
【補正対象書類名】特許請求の範囲
【補正対象項目名】請求項１
【補正方法】変更
【補正の内容】
【請求項１】
箱を含み、前記箱の中に回転筐体が固定設置され、前記回転筐体の中に電機駆動のファンが回転できるように設置され、前記回転筐体の左端壁の中に移行筐体が連結設置され、前記移行筐体の中に吸気ブロックが設置され、前記吸気ブロックの中に左右貫く錐筐体が固定設置され、前記錐筐体が前記移行筐体に連結され、前記移行筐体の下端内壁に開き筐体が連結設置され、前記開き筐体の右端内壁に回転電機が固定設置され、前記回転電機の出力軸が前記開き筐体の左端壁に回り係合接続され、前記回転電機の出力軸の中に支えブロックが固定設置され、前記支えブロックの中に濾過筐体が上下対称で且つ左右貫いて固定設置され、前記濾過筐体の中にフィルターが設置され、前記回転電機から離れる前記フィルターの端面にねじ穴が固定設置され、前記回転電機から離れる前記支えブロックの端面に上下対称で且つ開いたロック筐体が固定設置され、前記回転筐体の右端内壁に通風筐体が連結設置され、前記通風筐体の中に前記箱の中にある空きチャンバが連結設置され、前記空きチャンバの右端内壁に動力電機が回転できるように設置され、前記動力電機の出力軸が前記空きチャンバの左端壁に回り係合接続され、前記動力電機の出力軸の外表面に下ねじ山軸が固定設置され、前記空きチャンバの左右端壁の間に回転軸が回転できるように設置され、前記回転軸の外表面に前記下ねじ山軸に噛み合う上ねじ山軸が固定設置され、前記通風筐体の下端内壁に貫き筐体が連結設置され、前記貫き筐体の下端壁に伝動筐体が連結設置され、前記伝動筐体の上端内壁に通り筐体が左右対称で連結設置され、前記通り筐体の上端内壁に滑り筐体が連結設置され、前記伝動筐体の下に前記箱にあるベース筐体が設置され、前記ベース筐体の下端壁に加熱パイプが設置され、前記貫き筐体の中にトップパイプがスライドできるように設置され、前記トップパイプの中に左右貫く連結筐体が固定設置され、前記トップパイプの下端面に連結パイプが固定設置され、前記連結筐体の中に上下貫くパイプ筐体が固定設置され、前記パイプ筐体の左右端面にフィラーブロックが左右対称で固定設置され、前記連結パイプから離れる前記滑り筐体の内壁にモータが固定設置され、前記モータの出力軸が前記滑り筐体の内壁に回り係合接続され、前記モータの出力軸の外表面に前記通り筐体に滑り係合接続される伸びブロックがねじで係合接続され、前記伸びブロックの中に回転接続ハンドルが回転できるように設置され、前記回転接続ハンドルが前記フィラーブロックに回り係合接続され、前記箱の上端面にトップブロックとトップ回転ブロックが固定設置され、前記トップブロックの中にスイング棒が回転できるように設置され、前記スイング棒の上端面に受圧ブロックが固定設置され、前記受圧ブロックの上端面に接続ブロックが固定設置され、前記接続ブロックの上端面にシュートブロックが固定設置され、前記シュートブロックの上端面に中間ブロックが固定設置され、前記中間ブロックの上端面に伸び板が固定設置され、前記伸び板の下にガイドレールが設置され、前記ガイドレールの中に開いたレール筐体が固定設置され、前記シュートブロックが前記レール筐体に滑り係合接続され、前記受圧ブロックの先端面に回転接続支柱が回転できるように設置され、前記回転接続支柱の先端面に回転接続ブロックが固定設置され、前記箱の上端面にトップ回転ブロックが固定設置され、前記トップ回転ブロックの中に回転ハンドルが回転できるように設置され、前記トップ回転ブロックから離れる前記回転ハンドルの端面に電機受圧ブロックが固定設置され、前記トップ回転ブロックから離れる前記電機受圧ブロックの端面に駆動電機が固定設置され、前記駆動電機の出力軸が前記回転接続ブロックにねじで係合接続され、前記ベース筐体の左端内壁に動力ポンプが連結設置され、前記動力ポンプの左端内壁に貯水筐体が連結設置され、前記貯水筐体の左端内壁にバルブが連結設置され、前記箱の下にチューブヘッドが設置され、前記チューブヘッドが前記バルブに連結され、前記錐筐体がラッパ状で開いて、外部の空気を前記移行筐体に導入することを特徴とする空気浄化設備。
【手続補正２】
【補正対象書類名】明細書
【補正対象項目名】全文
【補正方法】変更
【補正の内容】
【発明の詳細な説明】
【技術分野】
【０００１】
本発明は空気浄化分野に関し、具体的には、空気浄化設備に関する。
【背景技術】
【０００２】
空気浄化は発展が速い技術であり、現有の空気浄化設備の浄化効果が足りない且つフィルターが更新し難くて、機能集成性も優れていないため、この設備で問題を解決した。
【先行技術文献】
【特許文献】
【０００３】
【特許文献１】中国特許出願公開第103863065号明細書
【発明の概要】
【発明が解決しようとする課題】
【０００４】
本発明の目的は上記の背景技術に提出された問題を解決するための空気浄化設備を提供することにある。
【課題を解決するための手段】
【０００５】
上記の目的を実現するために、本発明には、空気浄化設備は箱を含み、前記箱の中に回転筐体が固定設置され、前記回転筐体の中に電機駆動のファンが回転できるように設置され、前記回転筐体の左端壁の中に移行筐体が連結設置され、前記移行筐体の中に吸気ブロックが設置され、前記吸気ブロックの中に左右貫く錐筐体が固定設置され、前記錐筐体が前記移行筐体に連結され、前記移行筐体の下端内壁に開き筐体が連結設置され、前記開き筐体の右端内壁に回転電機が固定設置され、前記回転電機の出力軸が前記開き筐体の左端壁に回り係合接続され、前記回転電機の出力軸の中に支えブロックが固定設置され、前記支えブロックの中に濾過筐体が上下対称で且つ左右貫いて固定設置され、前記濾過筐体の中にフィルターが設置され、前記回転電機から離れる前記フィルターの端面にねじ穴が固定設置され、前記回転電機から離れる前記支えブロックの端面に上下対称で且つ開いたロック筐体が固定設置され、前記回転筐体の右端内壁に通風筐体が連結設置され、前記通風筐体の中に前記箱の中にある空きチャンバが連結設置され、前記空きチャンバの右端内壁に動力電機が回転できるように設置され、前記動力電機の出力軸が前記空きチャンバの左端壁に回り係合接続され、前記動力電機の出力軸の外表面に下ねじ山軸が固定設置され、前記空きチャンバの左右端壁の間に回転軸が回転できるように設置され、前記回転軸の外表面に前記下ねじ山軸に噛み合う上ねじ山軸が固定設置され、前記通風筐体の下端内壁に貫き筐体が連結設置され、前記貫き筐体の下端壁に伝動筐体が連結設置され、前記伝動筐体の上端内壁に通り筐体が左右対称で連結設置され、前記通り筐体の上端内壁に滑り筐体が連結設置され、前記伝動筐体の下に前記箱にあるベース筐体が設置され、前記ベース筐体の下端壁に加熱パイプが設置され、前記貫き筐体の中にトップパイプがスライドできるように設置され、前記トップパイプの中に左右貫く連結筐体が固定設置され、前記トップパイプの下端面に連結パイプが固定設置され、前記連結筐体の中に上下貫くパイプ筐体が固定設置され、前記パイプ筐体の左右端面にフィラーブロックが左右対称で固定設置され、前記連結パイプから離れる前記滑り筐体の内壁にモータが固定設置され、前記モータの出力軸が前記滑り筐体の内壁に回り係合接続され、前記モータの出力軸の外表面に前記通り筐体に滑り係合接続される伸びブロックがねじで係合接続され、前記伸びブロックの中に回転接続ハンドルが回転できるように設置され、前記回転接続ハンドルが前記フィラーブロックに回り係合接続される。
【０００６】
更の技術プラン、前記箱の上端面にトップブロックとトップ回転ブロックが固定設置され、前記トップブロックの中にスイング棒が回転できるように設置され、前記スイング棒の上端面に受圧ブロックが固定設置され、前記受圧ブロックの上端面に接続ブロックが固定設置され、前記接続ブロックの上端面にシュートブロックが固定設置され、前記シュートブロックの上端面に中間ブロックが固定設置され、前記中間ブロックの上端面に伸び板が固定設置され、前記伸び板の下にガイドレールが設置され、前記ガイドレールの中に開いたレール筐体が固定設置され、前記シュートブロックが前記レール筐体に滑り係合接続され、前記受圧ブロックの先端面に回転接続支柱が回転できるように設置され、前記回転接続支柱の先端面に回転接続ブロックが固定設置され、前記箱の上端面にトップ回転ブロックが固定設置され、前記トップ回転ブロックの中に回転ハンドルが回転できるように設置され、前記トップ回転ブロックから離れる前記回転ハンドルの端面に電機受圧ブロックが固定設置され、前記トップ回転ブロックから離れる前記電機受圧ブロックの端面に駆動電機が固定設置され、前記駆動電機の出力軸が前記回転接続ブロックにねじで係合接続される。
【０００７】
更の技術プラン、前記ベース筐体の左端内壁に動力ポンプが連結設置され、前記動力ポンプの左端内壁に貯水筐体が連結設置され、前記貯水筐体の左端内壁にバルブが連結設置され、前記箱の下にチューブヘッドが設置され、前記チューブヘッドが前記バルブに連結される。
【０００８】
更の技術プラン、前記錐筐体がラッパ状で開いて、外部の空気を前記移行筐体に導入する。
【発明の効果】
【０００９】
本発明の有益効果は、本発明設備が初期状態の時、前記回転筐体の後ろ内壁に電機、加熱パイプ、駆動電機、回転電機、動力電機、動力ポンプとモータが停止されたまま、前記伸びブロックが前記トップパイプの極限位置に近づき、それによって、前記構造が初期状態の時元の位置にあり、後続の作業で調整を行い、設備の作業協調性を有効に高める。
【００１０】
設備が運行する時、前記回転筐体の後ろ内壁にある電機が起動され、前記ファンを回せてから、外部の空気が前記錐筐体と移行筐体を通過して前記回転筐体の中に入らせ、空気が前記フィルターを通過する時、空気にある不純物が濾過され、前記動力電機が起動され、前記下ねじ山軸と上ねじ山軸を回せてから、空気が前記回転筐体で右に圧縮して前記通風筐体の中に送り込み、前記貯水筐体の中に液体が満たされ、前記動力ポンプが起動されてから、液体を前記ベース筐体に満たされ、前記加熱パイプが起動され熱が生産されて、液体を水蒸気に加熱して前記パイプ筐体と連結筐体に満たされ、前記モータが起動され、前記伸びブロックを動かして前記連結パイプから離れさせ前記連結パイプを上に上げ、前記連結筐体と通風筐体を連結させ、水蒸気が前記通風筐体の中に放出され、圧縮空気が通風筐体に放出され、水蒸気を前記通風筐体から排出され、外部に放出される。
【００１１】
設備に調整を行う時、前記シュートブロックが前記レール筐体に放置され、ねじで前記伸び板を前記ガイドレールに固定され、前記駆動電機が起動されてから前記駆動電機の出力軸を回せて前記箱をある程度の角度に上げる。
【００１２】
フィルターを更新する時、前記回転電機が起動され、前記支えブロックを動かして回せ、不純物が満たされる前記フィルターを下側に回せ、前記ロック筐体の中にあるボルトを緩め、下側にあるフィルターを取り出して前記フィルターを更新する。
【００１３】
本発明の構造が簡単で、使用も便利であり、この設備で空気浄化と環境加湿が相まって、空気浄化の機能を有効に高めた。
【図面の簡単な説明】
【００１４】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１５】
【図１】本発明の空気浄化設備の整体構造模式図である。
【図２】図1のA-A方向の構造模式図である。
【発明を実施するための形態】
【００１６】
本発明書に開示した全ての特徴、或いは開示した全ての方法、過程中のステップは、互いに排斥する特徴或いはステップ以外に、いかなる方式で組み合わせることができる。
【００１７】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１８】
本発明の空気浄化設備は 箱100を含み、前記箱100の中に回転筐体112が固定設置され、前記回転筐体112の中に電機駆動のファン111が回転できるように設置され、前記回転筐体112の左端壁の中に移行筐体110が連結設置され、前記移行筐体110の中に吸気ブロック109が設置され、前記吸気ブロック109の中に左右貫く錐筐体108が固定設置され、前記錐筐体108が前記移行筐体110に連結され、前記移行筐体110の下端内壁に開き筐体107が連結設置され、前記開き筐体107の右端内壁に回転電機101が固定設置され、前記回転電機101の出力軸が前記開き筐体107の左端壁に回り係合接続され、前記回転電機101の出力軸の中に支えブロック106が固定設置され、前記支えブロック106の中に濾過筐体102が上下対称で且つ左右貫いて固定設置され、前記濾過筐体102の中にフィルター105が設置され、前記回転電機101から離れる前記フィルター105の端面にねじ穴104が固定設置され、前記回転電機101から離れる前記支えブロック106の端面に上下対称で且つ開いたロック筐体103が固定設置され、前記回転筐体112の右端内壁に通風筐体135が連結設置され、前記通風筐体135の中に前記箱100の中にある空きチャンバ127が連結設置され、前記空きチャンバ127の右端内壁に動力電機131が回転できるように設置され、前記動力電機131の出力軸が前記空きチャンバ127の左端壁に回り係合接続され、前記動力電機131の出力軸の外表面に下ねじ山軸130が固定設置され、前記空きチャンバ127の左右端壁の間に回転軸128が回転できるように設置され、前記回転軸128の外表面に前記下ねじ山軸130に噛み合う上ねじ山軸129が固定設置され、前記通風筐体135の下端内壁に貫き筐体132が連結設置され、前記貫き筐体132の下端壁に伝動筐体150が連結設置され、前記伝動筐体150の上端内壁に通り筐体138が左右対称で連結設置され、前記通り筐体138の上端内壁に滑り筐体136が連結設置され、前記伝動筐体150の下に前記箱100にあるベース筐体142が設置され、前記ベース筐体142の下端壁に加熱パイプ143が設置され、前記貫き筐体132の中にトップパイプ134がスライドできるように設置され、前記トップパイプ134の中に左右貫く連結筐体133が固定設置され、前記トップパイプ134の下端面に連結パイプ145が固定設置され、前記連結筐体133の中に上下貫くパイプ筐体144が固定設置され、前記パイプ筐体144の左右端面にフィラーブロック141が左右対称で固定設置され、前記連結パイプ145から離れる前記滑り筐体136の内壁にモータ137が固定設置され、前記モータ137の出力軸が前記滑り筐体136の内壁に回り係合接続され、前記モータ137の出力軸の外表面に前記通り筐体138に滑り係合接続される伸びブロック139がねじで係合接続され、前記伸びブロック139の中に回転接続ハンドル140が回転できるように設置され、前記回転接続ハンドル140が前記フィラーブロック141に回り係合接続される。
【００１９】
有益的には、前記箱100の上端面にトップブロック124とトップ回転ブロック125が固定設置され、前記トップブロック124の中にスイング棒113が回転できるように設置され、前記スイング棒113の上端面に受圧ブロック114が固定設置され、前記受圧ブロック114の上端面に接続ブロック115が固定設置され、前記接続ブロック115の上端面にシュートブロック120が固定設置され、前記シュートブロック120の上端面に中間ブロック118が固定設置され、前記中間ブロック118の上端面に伸び板117が固定設置され、前記伸び板117の下にガイドレール116が設置され、前記ガイドレール116の中に開いたレール筐体119が固定設置され、前記シュートブロック120が前記レール筐体119に滑り係合接続され、前記受圧ブロック114の先端面に回転接続支柱200が回転できるように設置され、前記回転接続支柱200の先端面に回転接続ブロック121が固定設置され、前記箱100の上端面にトップ回転ブロック125が固定設置され、前記トップ回転ブロック125の中に回転ハンドル126が回転できるように設置され、前記トップ回転ブロック125から離れる前記回転ハンドル126の端面に電機受圧ブロック123が固定設置され、前記トップ回転ブロック125から離れる前記電機受圧ブロック123の端面に駆動電機122が固定設置され、前記駆動電機122の出力軸が前記回転接続ブロック121にねじで係合接続される。
【００２０】
有益的には、前記ベース筐体142の左端内壁に動力ポンプ146が連結設置され、前記動力ポンプ146の左端内壁に貯水筐体147が連結設置され、前記貯水筐体147の左端内壁にバルブ148が連結設置され、前記箱100の下にチューブヘッド149が設置され、前記チューブヘッド149が前記バルブ148に連結される。
【００２１】
有益的には、前記錐筐体108がラッパ状で開いて、外部の空気を前記移行筐体110に導入する。
【００２２】
本発明設備が初期状態の時、前記回転筐体112の後ろ内壁に電機、加熱パイプ143、駆動電機122、回転電機101、動力電機131、動力ポンプ146とモータ137が停止されたまま、前記伸びブロック139が前記トップパイプ134の極限位置に近づく。
【００２３】
設備が運行する時、前記回転筐体112の後ろ内壁にある電機が起動され、前記ファン111を回せてから、外部の空気が前記錐筐体108と移行筐体110を通過して前記回転筐体112の中に入らせ、空気が前記フィルター105を通過する時、空気にある不純物が濾過され、前記動力電機131が起動され、前記下ねじ山軸130と上ねじ山軸129を回せてから、空気が前記回転筐体112で右に圧縮して前記通風筐体135の中に送り込み、前記貯水筐体147の中に液体が満たされ、前記動力ポンプ146が起動されてから、液体を前記ベース筐体142に満たされ、前記加熱パイプ143が起動され熱が生産されて、液体を水蒸気に加熱して前記パイプ筐体144と連結筐体133に満たされ、前記モータ137が起動され、前記伸びブロック139を動かして前記連結パイプ145から離れさせ前記連結パイプ145を上に上げ、前記連結筐体133と通風筐体135を連結させ、水蒸気が前記通風筐体135の中に放出され、圧縮空気が通風筐体135に放出され、水蒸気を前記通風筐体135から排出され、外部に放出される。
【００２４】
設備に調整を行う時、前記シュートブロック120が前記レール筐体119に放置され、ねじで前記伸び板117を前記ガイドレールに固定され、前記駆動電機122が起動されてから前記駆動電機122の出力軸を回せて前記箱100をある程度の角度に上げる。
【００２５】
フィルター105を更新する時、前記回転電機101が起動され、前記支えブロック106を動かして回せ、不純物が満たされる前記フィルター105を下側に回せ、前記ロック筐体103の中にあるボルトを緩め、下側にあるフィルター105を取り出して前記フィルター105を更新する。
【００２６】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和1年5月28日(2019.5.28)
【手続補正１】
【補正対象書類名】特許請求の範囲
【補正対象項目名】請求項１
【補正方法】変更
【補正の内容】
【請求項１】
箱を含み、前記箱の中に回転筐体が固定設置され、前記回転筐体の中に電機駆動のファンが回転できるように設置され、前記回転筐体の左端壁の中に移行筐体が連結設置され、前記移行筐体の中に吸気ブロックが設置され、前記吸気ブロックの中に左右貫く錐筐体が固定設置され、前記錐筐体が前記移行筐体に連結され、前記移行筐体の下端内壁に開き筐体が連結設置され、前記開き筐体の右端内壁に回転電機が固定設置され、前記回転電機の出力軸が前記開き筐体の左端壁に回り係合接続され、前記回転電機の出力軸の中に支えブロックが固定設置され、前記支えブロックの中に濾過筐体が上下対称で且つ左右貫いて固定設置され、前記濾過筐体の中にフィルターが設置され、前記回転電機から離れる前記フィルターの端面にねじ穴が固定設置され、前記回転電機から離れる前記支えブロックの端面に上下対称で且つ開いたロック筐体が固定設置され、前記回転筐体の右端内壁に通風筐体が連結設置され、前記通風筐体の中に前記箱の中にある空きチャンバが連結設置され、前記空きチャンバの右端内壁に動力電機が回転できるように設置され、前記動力電機の出力軸が前記空きチャンバの左端壁に回り係合接続され、前記動力電機の出力軸の外表面に下ねじ山軸が固定設置され、前記空きチャンバの左右端壁の間に回転軸が回転できるように設置され、前記回転軸の外表面に前記下ねじ山軸に噛み合う上ねじ山軸が固定設置され、前記通風筐体の下端内壁に貫き筐体が連結設置され、前記貫き筐体の下端壁に伝動筐体が連結設置され、前記伝動筐体の上端内壁に通り筐体が左右対称で連結設置され、前記通り筐体の上端内壁に滑り筐体が連結設置され、前記伝動筐体の下に前記箱にあるベース筐体が設置され、前記ベース筐体の下端壁に加熱パイプが設置され、前記貫き筐体の中にトップパイプがスライドできるように設置され、前記トップパイプの中に左右貫く連結筐体が固定設置され、前記トップパイプの下端面に連結パイプが固定設置され、前記連結パイプの中に上下貫くパイプ筐体が固定設置され、前記パイプ筐体の左右端面にフィラーブロックが左右対称で固定設置され、前記連結パイプから離れる前記滑り筐体の内壁にモータが固定設置され、前記モータの出力軸が前記滑り筐体の内壁に回り係合接続され、前記モータの出力軸の外表面に前記通り筐体に滑り係合接続される伸びブロックがねじで係合接続され、前記伸びブロックの中に回転接続ハンドルが回転できるように設置され、前記回転接続ハンドルが前記フィラーブロックに回り係合接続され、前記箱の上端面にトップブロックとトップ回転ブロックが固定設置され、前記トップブロックの中にスイング棒が回転できるように設置され、前記スイング棒の上端面に受圧ブロックが固定設置され、前記受圧ブロックの上端面に接続ブロックが固定設置され、前記接続ブロックの上端面にシュートブロックが固定設置され、前記シュートブロックの上端面に中間ブロックが固定設置され、前記中間ブロックの上端面に伸び板が固定設置され、前記伸び板の下にガイドレールが設置され、前記ガイドレールの中に開いたレール筐体が固定設置され、前記シュートブロックが前記レール筐体に滑り係合接続され、前記受圧ブロックの先端面に回転接続支柱が回転できるように設置され、前記回転接続支柱の先端面に回転接続ブロックが固定設置され、前記箱の上端面にトップ回転ブロックが固定設置され、前記トップ回転ブロックの中に回転ハンドルが回転できるように設置され、前記トップ回転ブロックから離れる前記回転ハンドルの端面に電機受圧ブロックが固定設置され、前記トップ回転ブロックから離れる前記電機受圧ブロックの端面に駆動電機が固定設置され、前記駆動電機の出力軸が前記回転接続ブロックにねじで係合接続され、前記ベース筐体の左端内壁に動力ポンプが連結設置され、前記動力ポンプの左端内壁に貯水筐体が連結設置され、前記貯水筐体の左端内壁にバルブが連結設置され、前記箱の下にチューブヘッドが設置され、前記チューブヘッドが前記バルブに連結され、前記錐筐体がラッパ状で開いて、外部の空気を前記移行筐体に導入することを特徴とする空気浄化設備。
【手続補正２】
【補正対象書類名】明細書
【補正対象項目名】全文
【補正方法】変更
【補正の内容】
【発明の詳細な説明】
【技術分野】
【０００１】
本発明は空気浄化分野に関し、具体的には、空気浄化設備に関する。
【背景技術】
【０００２】
空気浄化は発展が速い技術であり、現有の空気浄化設備の浄化効果が足りない且つフィルターが更新し難くて、機能集成性も優れていないため、この設備で問題を解決した。
【先行技術文献】
【特許文献】
【０００３】
【特許文献１】中国特許出願公開第103863065号明細書
【発明の概要】
【発明が解決しようとする課題】
【０００４】
本発明の目的は上記の背景技術に提出された問題を解決するための空気浄化設備を提供することにある。
【課題を解決するための手段】
【０００５】
上記の目的を実現するために、本発明には、空気浄化設備は箱を含み、前記箱の中に回転筐体が固定設置され、前記回転筐体の中に電機駆動のファンが回転できるように設置され、前記回転筐体の左端壁の中に移行筐体が連結設置され、前記移行筐体の中に吸気ブロックが設置され、前記吸気ブロックの中に左右貫く錐筐体が固定設置され、前記錐筐体が前記移行筐体に連結され、前記移行筐体の下端内壁に開き筐体が連結設置され、前記開き筐体の右端内壁に回転電機が固定設置され、前記回転電機の出力軸が前記開き筐体の左端壁に回り係合接続され、前記回転電機の出力軸の中に支えブロックが固定設置され、前記支えブロックの中に濾過筐体が上下対称で且つ左右貫いて固定設置され、前記濾過筐体の中にフィルターが設置され、前記回転電機から離れる前記フィルターの端面にねじ穴が固定設置され、前記回転電機から離れる前記支えブロックの端面に上下対称で且つ開いたロック筐体が固定設置され、前記回転筐体の右端内壁に通風筐体が連結設置され、前記通風筐体の中に前記箱の中にある空きチャンバが連結設置され、前記空きチャンバの右端内壁に動力電機が回転できるように設置され、前記動力電機の出力軸が前記空きチャンバの左端壁に回り係合接続され、前記動力電機の出力軸の外表面に下ねじ山軸が固定設置され、前記空きチャンバの左右端壁の間に回転軸が回転できるように設置され、前記回転軸の外表面に前記下ねじ山軸に噛み合う上ねじ山軸が固定設置され、前記通風筐体の下端内壁に貫き筐体が連結設置され、前記貫き筐体の下端壁に伝動筐体が連結設置され、前記伝動筐体の上端内壁に通り筐体が左右対称で連結設置され、前記通り筐体の上端内壁に滑り筐体が連結設置され、前記伝動筐体の下に前記箱にあるベース筐体が設置され、前記ベース筐体の下端壁に加熱パイプが設置され、前記貫き筐体の中にトップパイプがスライドできるように設置され、前記トップパイプの中に左右貫く連結筐体が固定設置され、前記トップパイプの下端面に連結パイプが固定設置され、前記連結パイプの中に上下貫くパイプ筐体が固定設置され、前記パイプ筐体の左右端面にフィラーブロックが左右対称で固定設置され、前記連結パイプから離れる前記滑り筐体の内壁にモータが固定設置され、前記モータの出力軸が前記滑り筐体の内壁に回り係合接続され、前記モータの出力軸の外表面に前記通り筐体に滑り係合接続される伸びブロックがねじで係合接続され、前記伸びブロックの中に回転接続ハンドルが回転できるように設置され、前記回転接続ハンドルが前記フィラーブロックに回り係合接続される。
【０００６】
更の技術プラン、前記箱の上端面にトップブロックとトップ回転ブロックが固定設置され、前記トップブロックの中にスイング棒が回転できるように設置され、前記スイング棒の上端面に受圧ブロックが固定設置され、前記受圧ブロックの上端面に接続ブロックが固定設置され、前記接続ブロックの上端面にシュートブロックが固定設置され、前記シュートブロックの上端面に中間ブロックが固定設置され、前記中間ブロックの上端面に伸び板が固定設置され、前記伸び板の下にガイドレールが設置され、前記ガイドレールの中に開いたレール筐体が固定設置され、前記シュートブロックが前記レール筐体に滑り係合接続され、前記受圧ブロックの先端面に回転接続支柱が回転できるように設置され、前記回転接続支柱の先端面に回転接続ブロックが固定設置され、前記箱の上端面にトップ回転ブロックが固定設置され、前記トップ回転ブロックの中に回転ハンドルが回転できるように設置され、前記トップ回転ブロックから離れる前記回転ハンドルの端面に電機受圧ブロックが固定設置され、前記トップ回転ブロックから離れる前記電機受圧ブロックの端面に駆動電機が固定設置され、前記駆動電機の出力軸が前記回転接続ブロックにねじで係合接続される。
【０００７】
更の技術プラン、前記ベース筐体の左端内壁に動力ポンプが連結設置され、前記動力ポンプの左端内壁に貯水筐体が連結設置され、前記貯水筐体の左端内壁にバルブが連結設置され、前記箱の下にチューブヘッドが設置され、前記チューブヘッドが前記バルブに連結される。
【０００８】
更の技術プラン、前記錐筐体がラッパ状で開いて、外部の空気を前記移行筐体に導入する。
【発明の効果】
【０００９】
本発明の有益効果は、本発明設備が初期状態の時、前記回転筐体の後ろ内壁に電機、加熱パイプ、駆動電機、回転電機、動力電機、動力ポンプとモータが停止されたまま、前記伸びブロックが前記トップパイプの極限位置に近づき、それによって、前記構造が初期状態の時元の位置にあり、後続の作業で調整を行い、設備の作業協調性を有効に高める。
【００１０】
設備が運行する時、前記回転筐体の後ろ内壁にある電機が起動され、前記ファンを回せてから、外部の空気が前記錐筐体と移行筐体を通過して前記回転筐体の中に入らせ、空気が前記フィルターを通過する時、空気にある不純物が濾過され、前記動力電機が起動され、前記下ねじ山軸と上ねじ山軸を回せてから、空気が前記回転筐体で右に圧縮して前記通風筐体の中に送り込み、前記貯水筐体の中に液体が満たされ、前記動力ポンプが起動されてから、液体を前記ベース筐体に満たされ、前記加熱パイプが起動され熱が生産されて、液体を水蒸気に加熱して前記パイプ筐体と連結筐体に満たされ、前記モータが起動され、前記伸びブロックを動かして前記連結パイプから離れさせ前記連結パイプを上に上げ、前記連結筐体と通風筐体を連結させ、水蒸気が前記通風筐体の中に放出され、圧縮空気が通風筐体に放出され、水蒸気を前記通風筐体から排出され、外部に放出される。
【００１１】
設備に調整を行う時、前記シュートブロックが前記レール筐体に放置され、ねじで前記伸び板を前記ガイドレールに固定され、前記駆動電機が起動されてから前記駆動電機の出力軸を回せて前記箱をある程度の角度に上げる。
【００１２】
フィルターを更新する時、前記回転電機が起動され、前記支えブロックを動かして回せ、不純物が満たされる前記フィルターを下側に回せ、前記ロック筐体の中にあるボルトを緩め、下側にあるフィルターを取り出して前記フィルターを更新する。
【００１３】
本発明の構造が簡単で、使用も便利であり、この設備で空気浄化と環境加湿が相まって、空気浄化の機能を有効に高めた。
【図面の簡単な説明】
【００１４】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１５】
【図１】本発明の空気浄化設備の整体構造模式図である。
【図２】図1のA-A方向の構造模式図である。
【発明を実施するための形態】
【００１６】
本発明書に開示した全ての特徴、或いは開示した全ての方法、過程中のステップは、互いに排斥する特徴或いはステップ以外に、いかなる方式で組み合わせることができる。
【００１７】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１８】
本発明の空気浄化設備は 箱100を含み、前記箱100の中に回転筐体112が固定設置され、前記回転筐体112の中に電機駆動のファン111が回転できるように設置され、前記回転筐体112の左端壁の中に移行筐体110が連結設置され、前記移行筐体110の中に吸気ブロック109が設置され、前記吸気ブロック109の中に左右貫く錐筐体108が固定設置され、前記錐筐体108が前記移行筐体110に連結され、前記移行筐体110の下端内壁に開き筐体107が連結設置され、前記開き筐体107の右端内壁に回転電機101が固定設置され、前記回転電機101の出力軸が前記開き筐体107の左端壁に回り係合接続され、前記回転電機101の出力軸の中に支えブロック106が固定設置され、前記支えブロック106の中に濾過筐体102が上下対称で且つ左右貫いて固定設置され、前記濾過筐体102の中にフィルター105が設置され、前記回転電機101から離れる前記フィルター105の端面にねじ穴104が固定設置され、前記回転電機101から離れる前記支えブロック106の端面に上下対称で且つ開いたロック筐体103が固定設置され、前記回転筐体112の右端内壁に通風筐体135が連結設置され、前記通風筐体135の中に前記箱100の中にある空きチャンバ127が連結設置され、前記空きチャンバ127の右端内壁に動力電機131が回転できるように設置され、前記動力電機131の出力軸が前記空きチャンバ127の左端壁に回り係合接続され、前記動力電機131の出力軸の外表面に下ねじ山軸130が固定設置され、前記空きチャンバ127の左右端壁の間に回転軸128が回転できるように設置され、前記回転軸128の外表面に前記下ねじ山軸130に噛み合う上ねじ山軸129が固定設置され、前記通風筐体135の下端内壁に貫き筐体132が連結設置され、前記貫き筐体132の下端壁に伝動筐体150が連結設置され、前記伝動筐体150の上端内壁に通り筐体138が左右対称で連結設置され、前記通り筐体138の上端内壁に滑り筐体136が連結設置され、前記伝動筐体150の下に前記箱100にあるベース筐体142が設置され、前記ベース筐体142の下端壁に加熱パイプ143が設置され、前記貫き筐体132の中にトップパイプ134がスライドできるように設置され、前記トップパイプ134の中に左右貫く連結筐体133が固定設置され、前記トップパイプ134の下端面に連結パイプ145が固定設置され、前記連結パイプ145の中に上下貫くパイプ筐体144が固定設置され、前記パイプ筐体144の左右端面にフィラーブロック141が左右対称で固定設置され、前記連結パイプ145から離れる前記滑り筐体136の内壁にモータ137が固定設置され、前記モータ137の出力軸が前記滑り筐体136の内壁に回り係合接続され、前記モータ137の出力軸の外表面に前記通り筐体138に滑り係合接続される伸びブロック139がねじで係合接続され、前記伸びブロック139の中に回転接続ハンドル140が回転できるように設置され、前記回転接続ハンドル140が前記フィラーブロック141に回り係合接続される。
【００１９】
有益的には、前記箱100の上端面にトップブロック124とトップ回転ブロック125が固定設置され、前記トップブロック124の中にスイング棒113が回転できるように設置され、前記スイング棒113の上端面に受圧ブロック114が固定設置され、前記受圧ブロック114の上端面に接続ブロック115が固定設置され、前記接続ブロック115の上端面にシュートブロック120が固定設置され、前記シュートブロック120の上端面に中間ブロック118が固定設置され、前記中間ブロック118の上端面に伸び板117が固定設置され、前記伸び板117の下にガイドレール116が設置され、前記ガイドレール116の中に開いたレール筐体119が固定設置され、前記シュートブロック120が前記レール筐体119に滑り係合接続され、前記受圧ブロック114の先端面に回転接続支柱200が回転できるように設置され、前記回転接続支柱200の先端面に回転接続ブロック121が固定設置され、前記箱100の上端面にトップ回転ブロック125が固定設置され、前記トップ回転ブロック125の中に回転ハンドル126が回転できるように設置され、前記トップ回転ブロック125から離れる前記回転ハンドル126の端面に電機受圧ブロック123が固定設置され、前記トップ回転ブロック125から離れる前記電機受圧ブロック123の端面に駆動電機122が固定設置され、前記駆動電機122の出力軸が前記回転接続ブロック121にねじで係合接続される。
【００２０】
有益的には、前記ベース筐体142の左端内壁に動力ポンプ146が連結設置され、前記動力ポンプ146の左端内壁に貯水筐体147が連結設置され、前記貯水筐体147の左端内壁にバルブ148が連結設置され、前記箱100の下にチューブヘッド149が設置され、前記チューブヘッド149が前記バルブ148に連結される。
【００２１】
有益的には、前記錐筐体108がラッパ状で開いて、外部の空気を前記移行筐体110に導入する。
【００２２】
本発明設備が初期状態の時、前記回転筐体112の後ろ内壁に電機、加熱パイプ143、駆動電機122、回転電機101、動力電機131、動力ポンプ146とモータ137が停止されたまま、前記伸びブロック139が前記トップパイプ134の極限位置に近づく。
【００２３】
設備が運行する時、前記回転筐体112の後ろ内壁にある電機が起動され、前記ファン111を回せてから、外部の空気が前記錐筐体108と移行筐体110を通過して前記回転筐体112の中に入らせ、空気が前記フィルター105を通過する時、空気にある不純物が濾過され、前記動力電機131が起動され、前記下ねじ山軸130と上ねじ山軸129を回せてから、空気が前記回転筐体112で右に圧縮して前記通風筐体135の中に送り込み、前記貯水筐体147の中に液体が満たされ、前記動力ポンプ146が起動されてから、液体を前記ベース筐体142に満たされ、前記加熱パイプ143が起動され熱が生産されて、液体を水蒸気に加熱して前記パイプ筐体144と連結筐体133に満たされ、前記モータ137が起動され、前記伸びブロック139を動かして前記連結パイプ145から離れさせ前記連結パイプ145を上に上げ、前記連結筐体133と通風筐体135を連結させ、水蒸気が前記通風筐体135の中に放出され、圧縮空気が通風筐体135に放出され、水蒸気を前記通風筐体135から排出され、外部に放出される。
【００２４】
設備に調整を行う時、前記シュートブロック120が前記レール筐体119に放置され、ねじで前記伸び板117を前記ガイドレールに固定され、前記駆動電機122が起動されてから前記駆動電機122の出力軸を回せて前記箱100をある程度の角度に上げる。
【００２５】
フィルター105を更新する時、前記回転電機101が起動され、前記支えブロック106を動かして回せ、不純物が満たされる前記フィルター105を下側に回せ、前記ロック筐体103の中にあるボルトを緩め、下側にあるフィルター105を取り出して前記フィルター105を更新する。
【００２６】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。